【手続補正書】
【提出日】令和3年4月19日(2021.4.19)
【手続補正１】
【補正対象書類名】特許請求の範囲
【補正対象項目名】全文
【補正方法】変更
【補正の内容】
【特許請求の範囲】
【請求項１】
原子力プラント用モジュール式水浄化システムであって、前記システムが、
複数の構成で選択的に相互に接続され得る複数のモジュールを備え、
前記複数のモジュールが、
入口および出口を備え、流体流を提供するように構成されたポンプモジュールと、
前記ポンプモジュールに互換的にまたは同時に接続されるように構成された少なくとも２つの浄化モジュールと、
燃料集合体底部ノズル洗浄モジュールであって、
前記プラントの燃料集合体の下部ノズルと係合するように構成されたレセプタクルと、
前記レセプタクルの内部と流体連通する出口であって、前記複数のモジュールのうちの少なくとも１つのモジュールの入口に接続することによって、前記ポンプモジュールが、前記燃料集合体を逆洗方向に通過して前記レセプタクル内に流れ、続いて前記燃料集合体底部ノズル洗浄モジュールの前記出口を通って前記複数のモジュールのうちの前記少なくとも１つのモジュール上に流れる水流を引き起こすように構成された出口と、
前記レセプタクルに取り付けられ、前記レセプタクルと係合する燃料集合体の下部ノズルに向けて超音波エネルギーを導くように成形および構成された少なくとも１つの超音波トランスデューサと、を含む燃料集合体底部ノズル洗浄モジュールと、
を含む、原子力プラント用モジュール式水浄化システム。
【請求項２】
前記少なくとも２つの浄化モジュールが異物探索回収モジュールを含み、前記ＦＯＳＡＲモジュールが、直径２．５ｍｍより大きい物体を前記異物探索回収モジュールのレセプタクル内にトラップするように構成され、
前記異物探索回収モジュールが、前記ポンプモジュールの前記入口に取り付けられるように構成された出口を備える、請求項１に記載のシステム。
【請求項３】
前記レセプタクルが、前記レセプタクル内の物体を調べることができるように、前記異物探索回収モジュールの残りの部分から選択的に取り外し可能である、請求項２に記載のシステム。
【請求項４】
前記異物探索回収モジュールが、直径１．０ｍｍより大きい物体を前記レセプタクル内にトラップするように構成される、請求項２に記載のシステム。
【請求項５】
前記少なくとも２つの浄化モジュールが、濾材を備えた粒子濾過モジュールを含み、前記粒子濾過モジュールが、前記粒子濾過モジュールを通る流体の流れから粒子をトラップするように構成され、前記粒子濾過モジュールが、前記ポンプモジュールの前記出口に接続するように構成された入口を有する、請求項１に記載のシステム。
【請求項６】
前記濾材が放射線耐性濾過媒体からなる、請求項５に記載のシステム。
【請求項７】
前記少なくとも２つの浄化モジュールが電気凝固モジュールを含み、前記電気凝固モジュールが、前記電気凝固モジュールを通って流れる汚染物質を、前記汚染物質が前記粒子濾過モジュールに到達する前に凝固させ、それによって前記粒子濾過モジュールによる前記汚染物質の改善された収集を促進するように、前記粒子濾過モジュールの上流に位置決めされるように構成される、請求項５に記載のシステム。
【請求項８】
前記少なくとも２つの浄化モジュールが脱塩モジュールを含み、前記脱塩モジュールが、樹脂を含み、前記脱塩モジュールを通る流体の流れからイオン状腐食生成物をトラップするように構成される、請求項１に記載のシステム。
【請求項９】
前記脱塩モジュールが流体出口を備え、前記流体出口が、前記脱塩モジュールからの使用済み樹脂が前記脱塩モジュールから原子力プラントの固体廃棄物処理システムに流され得るように、前記固体廃棄物処理システムに接続するように構成される、請求項８に記載のシステム。
【請求項１０】
前記少なくとも２つの浄化モジュールが脱ガスモジュールを含み、前記脱ガスモジュールが、抽出ガス出口を備え、前記脱ガスモジュールを通る流体の流れからガスを抽出するように構成される、請求項１に記載のシステム。
【請求項１１】
前記脱ガスモジュールが、真空ポンプおよび前記原子力プラントのガス廃棄物処理システムに接続して、前記脱ガスモジュールによって抽出されたガスが前記プラントの前記ガス廃棄物処理システムによって処理され得るようにする、請求項１０に記載のシステム。
【請求項１２】
前記少なくとも２つの浄化モジュールが過酸化物監視および注入モジュールを含み、前記過酸化物監視および注入モジュールが、燃料取り出しおよび燃料補給作業中の燃料集合体からの腐食生成物の放出を阻止するように構成される、請求項１に記載のシステム。
【請求項１３】
前記少なくとも２つの浄化モジュールがクロスフロー濾過モジュールを含み、前記クロスフロー濾過モジュールが、前記クロスフロー濾過モジュールを通る流体流を（１）第１の出口を介して前記クロスフロー濾過モジュールを出る比較的清浄な水の流れと、（２）第２の出口を介して前記クロスフロー濾過モジュールを出る比較的不浄な流れとに分離するように構成される、請求項１に記載のシステム。
【請求項１４】
前記少なくとも２つの浄化モジュールが濾材を備えた粒子濾過モジュールを含み、前記粒子濾過モジュールが、粒子をトラップするように構成され、前記粒子濾過モジュールが、前記ポンプモジュールの前記出口または前記クロスフロー濾過モジュールの前記第２の出口に二者択一的に接続するように構成された入口を有する、請求項１３に記載のシステム。
【請求項１５】
前記少なくとも２つの浄化モジュールが抽出ガス出口を備える脱ガスモジュールを含み、
前記脱ガスモジュールが、前記クロスフロー濾過モジュールの前記第１の出口に接続されるように構成された流体入口を備える、請求項１３に記載のシステム。
【請求項１６】
前記抽出ガス出口が、真空ポンプおよび前記原子力プラントのガス廃棄物処理システムに接続して、前記脱ガスモジュールによって抽出されたガスが前記プラントの前記ガス廃棄物処理システムによって処理され得るようにする、請求項１５に記載のシステム。
【請求項１７】
前記少なくとも２つの浄化モジュールが、第１の浄化モジュールおよび第２の浄化モジュールを含み、前記第１の浄化モジュールおよび前記第２の浄化モジュールが、
異物探索回収モジュールであって、前記異物探索回収モジュールのレセプタクル内に直径２．５ｍｍより大きい物体をトラップするように構成されたＦＯＳＡＲモジュール、
粒子をトラップするように構成された、濾材を備える粒子濾過モジュール、
汚染物質を凝固させるように構成された電気凝固モジュール、
樹脂を含み、イオン状腐食生成物をトラップするように構成された脱塩モジュール、
抽出ガス出口を備え、ガスを抽出するように構成された脱ガスモジュール、
燃料取り出しおよび燃料補給作業中の燃料集合体からの腐食生成物の放出を阻止するように構成された過酸化物監視および注入モジュール、または
クロスフロー濾過モジュールであって、前記クロスフロー濾過モジュールを通る流れを（１）第１の出口を介して前記クロスフロー濾過モジュールを出る比較的清浄な水の流れと、（２）第２の出口を介して前記クロスフロー濾過モジュールを出る比較的不浄な流れとに分離するように構成されたクロスフロー濾過モジュール、
の各浄化モジュールのうちのそれぞれ異なるモジュールからなる、請求項１に記載のシステム。
【請求項１８】
前記少なくとも２つの浄化モジュールが、請求項１７に列挙された前記各浄化モジュールから選択され、前記第１の浄化モジュールおよび前記第２の浄化モジュールとは異なる第３の浄化モジュールを含む、請求項１７に記載のシステム。
【請求項１９】
前記少なくとも２つの浄化モジュールが、請求項１７に列挙された前記各浄化モジュールから選択され、前記第１の浄化モジュール、前記第２の浄化モジュール、および前記第３の浄化モジュールとは異なる第４の浄化モジュールを含む、請求項１８に記載のシステム。
【請求項２０】
複数の前記モジュールの入口または出口が、少なくとも複数の前記モジュールの前記複数の構成での相互の接続を容易にする標準化コネクタを含む、請求項１に記載のシステム。
【請求項２１】
複数の前記モジュールの前記入口および前記出口が、対応する前記モジュールが別のモジュールから切り離されたときに前記モジュール内の汚染物質が漏れることを阻止するように構成されたエアオペレート式ラジアルシールを含む、請求項２０に記載のシステム。
【請求項２２】
前記複数のモジュールのうちの少なくとも１つのモジュールの入口を前記複数のモジュールのうちの少なくとも１つの他のモジュールの出口と相互接続する少なくとも１つの中間アダプタを更に含み、当該少なくとも１つの中間アダプタが放射線感受性の要素を含む、請求項２０に記載のシステム。
【請求項２３】
前記ポンプが、
入口および出口を有するインペラチャンバを形成するケーシングと、
前記ケーシングに対して回転するために前記ケーシングに接続された駆動軸であって、前記駆動軸と前記ケーシングとの間にギャップが形成される駆動軸と、
前記ケーシングに対して前記駆動軸と共に回転するために前記駆動軸に接続されたインペラと、を備え、
前記インペラが、少なくとも１つの羽根からなる第１のセットと、少なくとも１つの羽根からなる第２のセットとを含み、
前記駆動軸および前記第２のセットが、前記第１のセットに対して前記インペラの軸方向反対側に配置され、
前記少なくとも１つのインペラ羽根からなる第１のセットが、前記ケーシングの前記入口から前記ケーシングの前記出口への第１の流れを提供するように成形および構成され、
前記少なくとも１つのインペラ羽根からなる第２のセットが、前記ギャップから前記ケーシングの前記出口への第２の流れを提供するように成形および構成され、
前記第１のセットおよび前記第２のセットが、前記ポンプの使用中、前記第１の流れが前記第２の流れよりも高い流量を有するように成形および構成され、
前記第１のセットおよび前記第２のセットが、前記ポンプの使用中、前記第１の流れが前記第２の流れよりも低い圧力を有するように成形および構成される、請求項１に記載のシステム。
【請求項２４】
請求項１に記載のモジュール式水浄化システムを使用する方法であって、
前記ポンプモジュールを前記少なくとも２つの浄化モジュールのうちの少なくとも１つと相互接続してそれらを通る少なくとも１つ流路を作り出す工程と、
前記相互接続前または後に、前記相互接続された各モジュールを前記原子力プラントの燃料プール内の水中に位置決めする工程と、
前記相互接続された各モジュールを通過する少なくとも１つの水の流れを引き起こすように前記ポンプを動作させ、それによって前記相互接続された各モジュールを通過する水を浄化する工程と、を含む方法。
【請求項２５】
前記少なくとも２つの浄化モジュールのうちの前記少なくとも１つが濾材を備えた粒子濾過モジュールを含み、前記粒子濾過モジュールが、粒子をトラップするように構成され、前記粒子濾過モジュールが、前記ポンプモジュールの前記出口に接続するように構成された入口を有し、
前記方法が、前記動作させる工程の後に、前記粒子濾過モジュールを前記燃料プール内の燃料集合体保管ラックに移動させる工程を更に含む、請求項２４に記載の方法。
【請求項２６】
前記少なくとも２つの浄化モジュールのうちの前記少なくとも１つがクロスフロー濾過モジュールを含み、
前記動作させる工程によって、前記クロスフロー濾過モジュールが流入する流れを（１）第１の出口を介して前記クロスフロー濾過モジュールを出る比較的清浄な水の流れと、（２）第２の出口を介して前記クロスフロー濾過モジュールを出る比較的不浄な流れとに分離する、請求項２４に記載の方法。
【請求項２７】
前記動作させる工程により、前記比較的不浄な流れが前記燃料プール内に戻される、請求項２６に記載の方法。
【請求項２８】
前記放射線感受性の要素がシールを含む、請求項２２に記載のシステム。
【請求項２９】
前記複数のモジュールの１つが、ＵＶ灯を含む紫外線浄化モジュールを含む、請求項１に記載のシステム。